(57)【要約】【課題】運搬機による運搬対象物の全高を低く抑え得る物品運搬装置を提供する。【解決手段】物品運搬装置(1)は、１つのパレット(20)とパレット上に搭載される１つまたは複数の腰下(10)から成り、パレットは、下板(22)と下板上面に固定された１対のフォーク受容部(24)を備え、各フォーク受容部は、１対のパレット桁(25)とパレット桁上面に固定されたパレット上板(26)を備えると共に、下板上面とパレット上板下面と１対のパレット桁の内側側面とで画定される第１フォーク受容空間(S1)を備え、腰下は、１対の腰下桁(12)と１対の腰下桁上面に固定された腰下上板(14)を備え、腰下がパレット上に搭載された状態で、１対のパレット桁の外側側面と１対の腰下桁の内側側面の間には１対の第２フォーク受容空間(S2)が形成され、第１及び第２フォーク受容空間は、運搬機のフォークを収容し得るように構成されている。【選択図】図１
2019147597.tif 000002
【特許請求の範囲】
【請求項１】
１つのパレットと、前記パレットの上に搭載される１つまたは複数の腰下とから成り、
前記パレットは、下板と、前記下板の上面に固定された１対のフォーク受容部とを備え、
前記フォーク受容部のそれぞれは、１対のパレット桁と、前記パレット桁の上面に固定されたパレット上板とを備えると共に、前記下板の上面と前記パレット上板の下面と前記１対のパレット桁の内側側面とで画定される第１フォーク受容空間を備え、
前記腰下は、１対の腰下桁と、前記１対の腰下桁の上面に固定された腰下上板とを備え、
前記腰下が前記パレットの上に搭載された状態において、前記フォーク受容部の前記１対のパレット桁の外側側面と、前記１対の腰下桁の内側側面との間には、１対の第２フォーク受容空間が形成され、
前記第１フォーク受容空間及び前記第２フォーク受容空間は、運搬機のフォークを収容し得るように構成されている、ことを特徴とする物品運搬装置。
【請求項２】
前記下板の上面から前記パレット上板の上面までの距離は、前記腰下桁の下面から前記腰下上板の下面までの距離と等しい、ことを特徴とする請求項１に記載の物品運搬装置。
【請求項３】
前記下板の上面から前記パレット上板の上面までの距離は、前記腰下桁の下面から前記腰下上板の下面までの距離より大きい、ことを特徴とする請求項１に記載の物品運搬装置。
【請求項４】
前記１対のフォーク受容部のそれぞれに対応して、前記１対のパレット桁の外側側面からそれぞれ等しい距離を隔てて前記下板の上面に固定された１対のパレット桟を備え、
前記腰下が前記パレットの上に搭載された状態において、前記パレット桟は、前記１対の腰下桁の内側側面と前記パレット桁の間に位置する、ことを特徴とする請求項１〜３のいずれか１項に記載の物品運搬装置。
【請求項５】
前記パレット上板の、前記パレット桁の長手方向における両端部の上面には、ストッパが固定されている、ことを特徴とする請求項１〜４のいずれか１項に記載の物品運搬装置。
【請求項６】
前記腰下上板の上面には、物品を支持する支持板が固定されており、前記支持板には、前記物品の底面から下方へ突出する脚部を収容し得る空間が形成されている、ことを特徴とする請求項１〜５のいずれか１項に記載の物品運搬装置。
【請求項７】
前記１対の腰下桁の外側側面及び内側側面の下端部には、それぞれ面取部が設けられている、ことを特徴とする請求項１〜６のいずれか１項に記載の物品運搬装置。
【請求項８】
複数の腰下から成る物品運搬装置であって、
前記腰下のそれぞれは、１対の腰下桁と、前記１対の腰下桁の上面に固定された腰下上板とを備え、
前記複数の腰下は、それぞれの前記腰下桁同士が左右方向または前後方向に隣接するように並べられており、かつ、隣り合う前記腰下桁同士はクリップで固定されている、ことを特徴とする物品運搬装置。
【発明の詳細な説明】
【技術分野】
【０００１】
本発明は、物品を運搬するための装置に関する。
【背景技術】
【０００２】
例えば自動販売機等の重い物品を運搬する際には、まず、それぞれの物品を腰下と呼ばれる架台の上に載置し、緩衝材等の梱包材を用いて梱包した後、ベルト等を用いて腰下に固定する。その後、それぞれ物品が載置された複数の腰下を１つのパレットに搭載し、必要に応じて固定した後、フォークリフト等の運搬機を用いてパレットごと運搬する。この方法によれば、複数の物品を同時に運搬することができるため、効率的である（例えば、特許文献１参照）。
【先行技術文献】
【特許文献】
【０００３】
【特許文献１】実公平３−１５４９１号公報
【発明の概要】
【発明が解決しようとする課題】
【０００４】
しかしながら、上述した方法では、フォークリフト等の運搬機による運搬対象物の全高が、物品の高さ（並びに、物品の上面に載置された梱包材の厚さ）にパレットの厚さ及び腰下の厚さを加えたものとなり、大きくなる。
【０００５】
そのため、コンテナを用いて物品を輸送する場合、輸送効率向上のため上下２段に積み重ねようとしても、全高の超過によりコンテナ内に収容することができなかったり、コンテナ内の天井付近のスペースに余裕がなくなり積み重ね作業が難しくなったりするという問題が生じてしまう。
【０００６】
本発明は、このような問題点に鑑みてなされたものであって、フォークリフト等の運搬機による運搬対象物の全高を低く抑えることができる物品運搬装置を提供することを目的とする。
【課題を解決するための手段】
【０００７】
上記課題を解決するために、本発明の物品運搬装置は、１つのパレットと、前記パレットの上に搭載される１つまたは複数の腰下とから成り、前記パレットは、下板と、前記下板の上面に固定された１対のフォーク受容部とを備え、前記フォーク受容部のそれぞれは、１対のパレット桁と、前記パレット桁の上面に固定されたパレット上板とを備えると共に、前記下板の上面と前記パレット上板の下面と前記１対のパレット桁の内側側面とで画定される第１フォーク受容空間を備え、前記腰下は、１対の腰下桁と、前記１対の腰下桁の上面に固定された腰下上板とを備え、前記腰下が前記パレットの上に搭載された状態において、前記フォーク受容部の前記１対のパレット桁の外側側面と、前記１対の腰下桁の内側側面との間には、１対の第２フォーク受容空間が形成され、前記第１フォーク受容空間及び前記第２フォーク受容空間は、運搬機のフォークを収容し得るように構成されていることを特徴とする。
【０００８】
好ましくは、前記下板の上面から前記パレット上板の上面までの距離は、前記腰下桁の下面から前記腰下上板の下面までの距離と等しい。
【０００９】
好ましくは、前記下板の上面から前記パレット上板の上面までの距離は、前記腰下桁の下面から前記腰下上板の下面までの距離より大きい。
【００１０】
好ましくは、前記１対のフォーク受容部のそれぞれに対応して、前記１対のパレット桁の外側側面からそれぞれ等しい距離を隔てて前記下板の上面に固定された１対のパレット桟を備え、前記腰下が前記パレットの上に搭載された状態において、前記パレット桟は、前記１対の腰下桁の内側側面と前記パレット桁の間に位置する。
【００１１】
好ましくは、前記パレット上板の、前記パレット桁の長手方向における両端部の上面には、ストッパが固定されている。
【００１２】
好ましくは、前記腰下上板の上面には、物品を支持する支持板が固定されており、前記支持板には、前記物品の底面から下方へ突出する脚部を収容し得る空間が形成されている。
【００１３】
好ましくは、前記１対の腰下桁の外側側面及び内側側面の下端部には、それぞれ面取部が設けられている。
【００１４】
また、本発明の物品運搬装置は、複数の腰下から成り、前記腰下のそれぞれは、１対の腰下桁と、前記１対の腰下桁の上面に固定された腰下上板とを備え、前記複数の腰下は、それぞれの前記腰下桁同士が左右方向または前後方向に隣接するように並べられており、かつ、隣り合う前記腰下桁同士はクリップで固定されている。
【発明の効果】
【００１５】
本発明の物品運搬装置は、物品が載置された腰下単体での運搬にも、１つまたは複数の腰下を搭載したパレットの運搬にも、適用することができる。また、パレットの上に腰下を搭載したことによる全高の増加は、腰下のうち腰下上板及び支持板の厚さのみであって、腰下桁の高さは全高の増加をもたらさないので、フォークリフト等の運搬機による運搬対象物の全高を低く抑えることができるという優れた効果を得ることができる。
【図面の簡単な説明】
【００１６】
【図１】本発明の物品運搬装置の全体斜視図である。
【図２】本発明の物品運搬装置を構成する腰下の全体斜視図である。
【図３】本発明の物品運搬装置を構成するパレットの全体斜視図である。
【図４】本発明の物品運搬装置の正面図である。
【図５】本発明の物品運搬装置を用いて物品を運搬する際の運搬機のフォークの使用態様を示す概略説明図であり、（Ａ）は腰下を単体で運搬する場合、（Ｂ）は複数の腰下を搭載したパレットを運搬する場合を示している。
【図６】本発明の物品運搬装置の変形例の正面図である。
【図７】本発明の物品運搬装置の他の実施形態の全体斜視図である。
【発明を実施するための形態】
【００１７】
以下、本発明の実施形態について、図面を参照して詳細に説明する。
【００１８】
図１は、本発明の物品運搬装置１の全体斜視図、図２、図３は、それぞれ物品運搬装置１を構成する腰下１０、パレット２０の全体斜視図、図４は、物品運搬装置１の正面図、図５は、物品運搬装置１を用いて物品を運搬する際の運搬機のフォークの使用態様を示す概略説明図である。なお、本明細書においては、物品運搬装置１の前後方向及び左右方向を、図２及び図３に矢印で示した方向と定義する。
【００１９】
物品運搬装置１は、図１に示すように、１つまたは複数（図示した実施例においては４つ）の腰下１０と、１つのパレット２０とから成っている。なお、同図は、４つの腰下１０がパレット２０の上に搭載された状態を示している。
【００２０】
次に、物品運搬装置１を構成する腰下１０及びパレット２０のそれぞれについて、順に説明する。
【００２１】
腰下１０は、運搬されるべき物品がその上面に載置される架台であって、図２に示すように、１対の腰下桁１２と、複数（図示した実施例においては５つ）の腰下上板１４と、複数（図示した実施例においては３つ）の支持板１６とから成っている。
【００２２】
１対の腰下桁１２は、互いに平行に左右方向に隔てて配置されている。
【００２３】
複数の腰下上板１４は、その長手方向が腰下桁１２の長手方向と直交するように互いに平行に前後方向に等間隔で配置され、それぞれの腰下上板１４の長手方向の両端部は、１対の腰下桁１２のそれぞれの上面に固定されている。腰下上板１４の長さは、１対の腰下桁１２の外側側面１２ｏ間の距離と等しい（即ち、腰下上板１４の長手方向の両端面（外側側面１４ｏ）が、それぞれ腰下桁１２の外側側面１２ｏと面一になる）ことが好ましいが、これより短くてもよい。また、最も前側に配置された腰下上板１４の前側側面１４ｆは、１対の腰下桁１２のそれぞれの前側側面１２ｆと面一になることが好ましいが、当該腰下上板１４の前側側面１４ｆが腰下桁１２の前側側面１２ｆより後方に位置していてもよい。同様に、最も後側に配置された腰下上板１４の後側側面は、１対の腰下桁１２のそれぞれの後側側面と面一になることが好ましいが、当該腰下上板１４の後側側面が腰下桁１２の後側側面より前方に位置していてもよい。
【００２４】
複数の支持板１６は、その長手方向が腰下上板１４の長手方向と直交するように互いに平行に左右方向に等間隔で配置され、それぞれ腰下上板１４の上面に固定されている。支持板１６の長さは、腰下桁１２の長さと等しい（即ち、支持板１６の長手方向の両端面（前側側面及び後側側面）が、それぞれ腰下桁１２の長手方向の両端面（前側側面及び後側側面）と面一になる）ことが好ましいが、これより短くてもよい。
【００２５】
支持板１６は、その上に載置される物品を支持する部材である。底面から下方へ突出する脚部を備える物品を載置する場合には、当該脚部のそれぞれを収容し得る空間１６ａを支持板１６に設けておくことが好ましい。この空間は、例えば図２に示したような貫通孔として形成してもよいし、止まり穴（くぼみ）、あるいは、支持板１６の外側や内側側面に開口する切欠きとして形成してもよい。このような空間１６ａを設けることにより、物品の脚部は当該空間１６ａに収容され、物品の底面が支持板１６の上面に直接的に載置されることになるため、支持板１６の上面の全域で物品の重量を分散して受けることができる。
【００２６】
なお、以上においては、腰下１０を、複数の腰下上板１４及び複数の支持板１６を備えるものとして説明したが、腰下上板１４及び支持板１６は、それぞれ１枚の板から成るものであってもよい。
【００２７】
パレット２０は、１つまたは複数の腰下１０がその上面に搭載される架台であって、図３に示すように、複数（図示した実施例においては５つ）の下板２２と、１対のフォーク受容部２４と、１対のフォーク受容部２４のそれぞれに対応して１対ずつ設けられた合計２対のパレット桟２８とから成っている。
【００２８】
複数の下板２２は、互いに平行に前後方向に等間隔で配置されている。
【００２９】
フォーク受容部２４は、それぞれ、１対のパレット桁２５と、複数（図示した実施例においては５つ）のパレット上板２６とから成っている。
【００３０】
１対のパレット桁２５は、その長手方向が下板２２の長手方向と直交するように互いに平行に左右方向に隔てて配置され、複数の下板２２のそれぞれの上面に固定されている。パレット桁２５の長さは、その前側側面２５ｆ及び後側側面が、それぞれ最も前側に配置された下板２２の前側側面２２ｆ及び最も後側に配置された下板の後側側面と面一になるようなものであることが好ましいが、これより短くてもよい。
【００３１】
複数のパレット上板２６は、その長手方向がパレット桁２５の長手方向と直交するように互いに平行に前後方向に等間隔で配置され、それぞれのパレット上板２６の長手方向の両端部は、１対のパレット桁２５のそれぞれの上面に固定されている。パレット上板２６の長さは、１対のパレット桁２５の外側側面２５ｏ間の距離と等しい（即ち、パレット上板２６の長手方向の両端面（外側側面２６ｏ）が、それぞれパレット桁２５の外側側面２５ｏと面一になる）ことが好ましいが、これより短くてもよい。また、最も前側に配置されたパレット上板２６の前側側面２６ｆは、１対のパレット桁２５のそれぞれの前側側面２５ｆと面一になることが好ましいが、当該パレット上板２６の前側側面２６ｆがパレット桁２５の前側側面２５ｆより後方に位置していてもよい。同様に、最も後側に配置されたパレット上板２６の後側側面は、１対のパレット桁２５のそれぞれの後側側面と面一になることが好ましいが、当該パレット上板２６の後側側面がパレット桁２５の後側側面より前方に位置していてもよい。
【００３２】
なお、最も前側に配置されたパレット上板２６の上面の前端部近傍、及び、最も後側に配置されたパレット上板２６の上面の後端部近傍には、それぞれストッパ２６ｓが固定されている。ストッパ２６ｓは、パレット２０の上に搭載された腰下１０の前後方向の移動を規制する機能を発揮する。
【００３３】
図４（の右半部）に示すように、１対のパレット桁２５の内側側面２５ｉ間の（左右方向の）距離Ｌ１及びパレット桁２５の高さ（換言すれば、下板２２の上面２２ｕからパレット上板２６の下面２６ｄまでの（上下方向の）距離）Ｈ１は、それぞれ、物品運搬装置１を用いて物品を運搬する際に使われるフォークリフト等の運搬機のフォークの幅及び厚さよりも大きく設定されている。これにより、複数の下板２２の上面２２ｕと、複数のパレット上板２６の下面２６ｄと、１対のパレット桁２５の内側側面２５ｉとによって囲まれる空間、即ち第１フォーク受容空間Ｓ１が形成されている。
【００３４】
さらに、図３に示すように、それぞれのフォーク受容部２４に対応する１対のパレット桟２８が、フォーク受容部２４を構成する１対のパレット桁２５の外側側面２５ｏからそれぞれ等しい距離を隔てて平行に配置され、複数の下板２２のそれぞれの上面に固定されている。パレット桟２８の長さは、その前側側面２８ｆ及び後側側面が、それぞれ最も前側に配置された下板２２の前側側面２２ｆ及び最も後側に配置された下板の後側側面と面一になるようなものであることが好ましいが、これより短くてもよい。
【００３５】
なお、以上においては、パレット２０を、複数の下板２２及び複数のパレット上板２６を備えるものとして説明したが、下板２２及びパレット上板２６は、それぞれ１枚の板から成るものであってもよい。パレット上板２６が１枚の板から成るものである場合をも想定すると、上述したストッパ２６ｓは、パレット上板２６の、パレット桁２５の長手方向における両端部（前端部近傍及び後端部近傍）の上面に固定されるものであるといえる。また、上述したストッパ２６ｓは、パレット桁２５の長手方向における両端部（前端部近傍及び後端部近傍）の上面に直接固定されてもよい。
【００３６】
次に、１つまたは複数の腰下１０がパレット２０の上に搭載された状態（図１参照）における物品運搬装置１の各部の寸法について、図４を参照して以下で説明する。
【００３７】
まず、図４（の左半部）に示すように、腰下１０を構成する１対の腰下桁１２の内側側面１２ｉ間の（左右方向の）距離Ｙ１は、パレット２０を構成するフォーク受容部２４のそれぞれに対応して設けられた１対のパレット桟２８の外側側面２８ｏ間の（左右方向の）距離Ｙ２よりも僅かに大きく設定されている。
【００３８】
また、図４（の左半部）に示すように、フォーク受容部２４の高さ（パレット２０の下板２２の上面２２ｕからパレット上板２６の上面２６ｕまでの（上下方向の）距離）Ｚ１は、腰下１０を構成する腰下桁１２の高さ（腰下桁１２の下面から腰下上板１４の下面１４ｄまでの（上下方向の）距離）Ｚ２以上に設定されている。
【００３９】
さらに、図４において左側のフォーク受容部２４に対応してその右側に設けられたパレット桟２８Ｌの外側側面２８Ｌｏと、図４において右側に配置されたフォーク受容部２４に対応してその左側に設けられたパレット桟２８Ｒの外側側面２８Ｒｏとの間の（左右方向の）距離Ｙ３は、腰下１０を構成する腰下桁１２の左右方向の幅Ｗの２倍よりも僅かに大きく設定されている。
【００４０】
以上のように構成されていることにより、１つまたは複数の腰下１０は、その腰下上板１４の下面１４ｄがパレット２０のフォーク受容部２４上（パレット上板２６の上面２６ｕ上）に載置され、また場合によっては、さらにその腰下桁１２の下面がパレット２０の下板２２の上面２２ｕ上に載置された状態で、かつ、左右方向に隣り合う２つの腰下１０の隣り合う２つの腰下桁１２が、パレット桟２８Ｌの外側側面２８Ｌｏとパレット桟２８Ｒの外側側面２８Ｒｏとの間に収容された状態で、パレット２０上に搭載されることになる。このとき、パレット桟２８Ｌ及びパレット桟２８Ｒは、腰下１０（の腰下桁１２）の左右方向の移動を規制する機能を発揮する。
【００４１】
また、図４（の右半部）に示すように、パレット２０のそれぞれのフォーク受容部２４の左右両側における、パレット桁２５の外側側面２５ｏと腰下桁１２の内側側面１２ｉ間の（左右方向の）距離Ｌ２及びパレット桟２８の上面２８ｕと腰下上板１４の下面１４ｄの間の（上下方向の）距離Ｈ２は、それぞれ、物品運搬装置１を用いて物品を運搬する際に使われる運搬機のフォークの幅及び厚さよりも大きく設定されている。これにより、パレット桟２８の上面２８ｕと、腰下上板１４の下面１４ｄと、パレット桁２５の外側側面２５ｏと、腰下桁１２の内側側面１２ｉとによって囲まれる空間、即ち第２フォーク受容空間Ｓ２が形成されている。
【００４２】
なお、パレット２０の１対のフォーク受容部２４のそれぞれに形成された第１フォーク受容空間Ｓ１の左右方向における中心間距離ＹＳ１（図４参照）、並びに、１つまたは複数の腰下１０がパレット２０の上に搭載された状態において、それぞれのフォーク受容部２４の両側にそれぞれ形成される第２フォーク受容空間Ｓ２の左右方向における中心間距離ＹＳ２（図４参照）は、いずれも、物品運搬装置１を用いて物品を運搬する際に使われる運搬機の２つのフォークの中心間距離の可変範囲内に設定されている。
【００４３】
これにより、運搬機の２つのフォークＦの間隔（中心間距離）を、上述した距離ＹＳ２と実質的に等しくなるように狭めた状態で、それぞれのフォークＦを腰下１０の腰下上板１４の下方に差し込めば、図５（Ａ）に示すように、運搬されるべき物品（図示省略）がその上面に載置された腰下１０を単体で運搬したり、当該腰下１０をパレット２０の上に搭載、あるいは、パレット２０の上から取り下したりすることができる。このとき、２つのフォークの外側側面間の距離が上述した距離Ｙ１より僅かに小さくなるようにしておけば、腰下１０を図４に示すような状態でパレット２０の上に搭載した際に、それぞれのフォークが第２フォーク受容空間Ｓ２に確実に収容され、フォーク受容部２４を構成する各部材との干渉を防止することができる。
【００４４】
また、運搬機の２つのフォークＦの間隔（中心間距離）を、上述した距離ＹＳ１と実質的に等しくなるように広げた状態で、それぞれのフォークＦを第１フォーク受容空間Ｓ１に差し込めば、図５（Ｂ）に示すように、パレット２０を、その上に搭載された１つまたは複数の腰下１０ごと運搬することができる。
【００４５】
以上のように構成されていることにより、本発明の物品運搬装置１は、腰下１０単体での運搬にも、１つまたは複数の腰下１０を搭載したパレット２０の運搬にも、適用することができる。
【００４６】
また、図４に示すように、腰下１０は、パレット２０のフォーク受容部２４を跨ぐような態様でパレット２０の下板２２上に載置されるため、パレット２０の上に腰下１０を搭載したことによる全高の増加は、腰下１０のうち腰下上板１４及び支持板１６の厚さのみであって、腰下１０のうち腰下桁１２の高さは全高の増加をもたらさない。したがって、本発明の物品運搬装置１によれば、フォークリフト等の運搬機による運搬対象物の全高を低く抑えることができ、例えば、輸送効率向上のため上下２段に積み重ねてコンテナに収容する場合に、コンテナ内の天井付近に十分なスペースを確保することができる。
【００４７】
なお、腰下１０の１対の腰下桁１２の外側側面及び内側側面の下端部には、図６に示すように、それぞれ面取部１２Ｃｏ、１２Ｃｉを設けてもよい。これにより、腰下１０をパレット２０の上に搭載する際、腰下１０が左右のいずれかの側にずれていた場合であっても、腰下桁１２の内側側面に設けられた面取部１２Ｃｉがパレット桟２８の外側の上縁部によって案内されるので、腰下１０をパレット２０上の正しい位置に搭載することが容易となる。また、隣り合う腰下１０がパレット２０の上に既に搭載されている状態で、新たな腰下１０‘をパレット２０の上に搭載する際、当該腰下１０‘が既に搭載されている腰下１０の側にずれていた場合であっても、腰下桁１２の（既に搭載されている腰下１０の側の）外側側面に設けられた面取部１２Ｃｏが、既に搭載されている腰下１０の支持板１６の外側の上縁部によって案内されるので、腰下１０‘をパレット２０上の正しい位置に搭載することが容易となる。
【００４８】
なお、以上においては、１つまたは複数の腰下を同時に運搬するために、これら１つまたは複数の腰下を１つのパレットの上に搭載する例について説明したが、複数の腰下を互いに固定することにより、パレットの使用を省略することも可能である。
【００４９】
即ち、本実施例においては、図７に示すように、複数（図示した実施例においては４つ）の腰下１１０を、それぞれの腰下桁１１２同士が左右方向または前後方向に隣接するように並べた状態で、左右方向に隣り合う２つの腰下１１０の隣り合う腰下桁１１２がクリップ１１８Ｙで、前後方向に隣り合う２つの腰下１１０の隣り合う腰下桁１１２がクリップ１１８Ｘで、それぞれ固定される。そのために、各腰下桁１１２の前端部近傍及び後端部近傍にはそれぞれ穴１１２ａが設けられており、例えば帯状の金属から成るクリップ１１８Ｘ及び１１８Ｙを折り曲げて穴１１２ａに通すことにより、隣り合う２つの腰下桁１１２を連結することができる。
【００５０】
このように、並べられた状態の腰下１１０をクリップ１１８Ｘ及び１１８Ｙを用いて連結することにより、パレットを用いることなく複数の腰下１１０を同時に運搬することが可能となる。即ち、図７に示すように、運搬機の２つのフォークＦを、それぞれ隣り合う２つの腰下１１０の腰下上板１１４の下に差し込むことにより、複数の腰下１１０を同時に運搬することができる。
【符号の説明】
【００５１】
１                  物品運搬装置
１０                腰下
１２                腰下桁
１２Ｃｏ、１２Ｃｉ  面取部
１４                腰下上板
１６                支持板
１６ａ              空間
２０                パレット
２２                下板
２４                フォーク受容部
２５                パレット桁
２６                パレット上板
２６ｓ              ストッパ
２８                パレット桟
Ｓ１                第１フォーク受容空間
Ｓ２                第２フォーク受容空間
【図１】
2019147597.tif 000003
【図２】
2019147597.tif 000004
【図３】
2019147597.tif 000005
【図４】
2019147597.tif 000006
【図５】
2019147597.tif 000007
【図６】
2019147597.tif 000008
【図７】
2019147597.tif 000009